(57)【要約】【課題】流量の十分に広い領域に亘って幅の広い薄膜状の吐水を維持することができる吐水装置を提供する。【解決手段】上述した課題を解決するために、本発明は、流入口から流入した湯又は水を、幅広の薄膜状にして吐水口から吐水させる吐水装置（１）であって、流入口から流入した湯又は水を、吐水口へ導く通水路が形成された吐水装置本体（２）と、通水路に連通した、細長く、両端部において幅が広くなった断面形状を備えたスリット状の吐水口（６）が形成された吐水部（４）と、を有することを特徴としている。【選択図】図１
2007262738.tif 000002
【特許請求の範囲】
【請求項１】
流入口から流入した湯又は水を、幅広の薄膜状にして吐水口から吐水させる吐水装置であって、
上記流入口から流入した湯又は水を、上記吐水口へ導く通水路が形成された吐水装置本体と、
上記通水路に連通した、細長く、両端部において幅が広くなった断面形状を備えたスリット状の吐水口が形成された吐水部と、
を有することを特徴とする吐水装置。
【請求項２】
上記吐水口は、幅がほぼ一定の直線部と、その両端部に連続して形成され、上記直線部よりも幅が広くなった拡大部と、を有する請求項１記載の吐水装置。
【請求項３】
さらに、上記通水路を横断するように設けられ、上記通水路を流れてきた湯又は水を、上記吐水口の長手方向ほぼ中央に集めるように形成された絞り手段を有する請求項１又は２記載の吐水装置。
【請求項４】
さらに、上記吐水口から吐水される湯又は水が通過するように、上記吐水口の近傍に設けられた整流手段を有する請求項１乃至３の何れか１項に記載の吐水装置。
【請求項５】
上記整流手段は整流網によって構成され、この整流網は、湯又は水が最初に通過する第１網部と、この第１網部を通過した湯又は水が通過する、上記第１網部から間隔を空けて配置された第２網部と、を有する請求項４記載の吐水装置。
【請求項６】
上記第１網部及び上記第２網部は、断面が閉曲線を描くように屈曲された１枚の整流網によって構成され、上記１枚の整流網のうち、湯又は水が上記閉曲線の内部に流入する際に通過する部分が上記第１網部として機能し、湯又は水が上記閉曲線の内部から外部に流出する際に通過する部分が上記第２網部として機能する請求項５記載の吐水装置。
【請求項７】
上記絞り手段は上記吐水部と一体に形成され、この吐水部は、これに取り付けられた整流網と共に着脱可能に構成されている請求項３記載の吐水装置。
【請求項８】
上記通水路には、上記流入口よりも流路断面積が大きい水溜部が形成されている請求項１乃至７の何れか１項に記載の吐水装置。
【発明の詳細な説明】
【技術分野】
【０００１】
本発明は、吐水装置に関し、特に、湯又は水を、幅広の薄膜状にして吐水口から吐水させる吐水装置に関する。
【背景技術】
【０００２】
実公昭６２−３５７１８号公報（特許文献１）には、水栓の吐水金具が記載されている。この吐水金具では、湯水の吐出口の横幅を広く形成して湯水が浴槽へ滝のように扁平に吐出するようにしている。このような、薄膜状の扁平な吐水は、吐出する湯水の流量が豊富に感じられること、吐出された湯水の水跳ねを生じにくいこと、視覚的に優れていること等から、特に、高級な吐水装置において採用されている。
【０００３】
【特許文献１】実公昭６２−３５７１８号公報
【発明の開示】
【発明が解決しようとする課題】
【０００４】
しかしながら、吐水口からの流量の大小にかかわらず、このような美しい薄膜状の吐水を維持することは困難であるという問題がある。例えば、吐水口からの流量が少ない場合には、湯水が幅広の吐水口から吐出されたとしても、湯水の流れは、図１２に示すように吐出後すぐにすぼまってしまい、幅の広い薄膜状の流れを長い距離に亘って維持することができない。逆に、吐水口からの流量が多い場合には、吐出された流れの乱れが大きくなるため、流れの厚さが厚く広がると共に、水流の透明感がなくなるため、美観が失われてしまう。
【０００５】
実公昭６２−３５７１８号公報記載の水栓金具では、吐出口の上流に水流室及び堰部を設け、この堰部を介して吐水を行うことによって幅広の扁平な吐水を得ようとしている。しかしながら、実公昭６２−３５７１８号公報記載の水栓金具においても、薄膜状の吐水を維持することができる流量の領域は十分なものではない。
【０００６】
従って、本発明は、流量の十分に広い領域に亘って幅の広い薄膜状の吐水を維持することができる吐水装置を提供することを目的としている。
【課題を解決するための手段】
【０００７】
上述した課題を解決するために、本発明は、流入口から流入した湯又は水を、幅広の薄膜状にして吐水口から吐水させる吐水装置であって、流入口から流入した湯又は水を、吐水口へ導く通水路が形成された吐水装置本体と、通水路に連通した、細長く、両端部において幅が広くなった断面形状を備えたスリット状の吐水口が形成された吐水部と、を有することを特徴としている。
【０００８】
このように構成された本発明においては、流入口から流入した湯又は水は、吐水装置本体の通水路を通って吐水部に到達する。吐水部には、細長く、両端部において幅が広くなった断面形状を備えたスリット状の吐水口が形成されており、湯又は水は、この吐水口から幅広の薄膜状に吐水される。吐水口は、両端部において幅が広くなるように形成されているため、幅広の吐水の両端部における水勢が強くなるため、吐水のすぼまりが抑制される。
このように構成された本発明の吐水装置によれば、流量の十分に広い領域に亘って幅の広い薄膜状の吐水を維持することができる。
【０００９】
本発明において、好ましくは、吐水口は、幅がほぼ一定の直線部と、その両端部に連続して形成され、直線部よりも幅が広くなった拡大部と、を有する。
このように構成された本発明の吐水装置によれば、細長く、両端部において幅が広くなった断面形状を備えたスリット状の吐水口を容易に形成することができる。
【００１０】
本発明において、好ましくは、さらに、通水路を横断するように設けられ、通水路を流れてきた湯又は水を、吐水口の長手方向ほぼ中央に集めるように形成された絞り手段を有する。
【００１１】
このように構成された本発明においては、吐水装置本体の通水路を流れてきた湯又は水は、絞り手段によって吐水口の長手方向ほぼ中央に集められ、絞り手段を通過した後、再び広がって吐水口から吐出される。
【００１２】
このように構成された本発明の吐水装置によれば、絞り手段を通過した湯又は水は、吐水口の長手方向に広がる速度成分をもつので、吐水のすぼまりをさらに抑制することができる。
【００１３】
本発明において、好ましくは、さらに、吐水口から吐水される湯又は水が通過するように、吐水口の近傍に設けられた整流手段を有する。
このように構成された本発明の吐水装置によれば、吐水口から流出する湯又は水が整流手段によって整流されるので、細長い吐水口から均一な吐水を得ることができると共に、大流量時における流れの乱れが抑制され、大流量時における吐水の広がりを抑えることができる。
【００１４】
本発明において、好ましくは、整流手段は整流網によって構成され、この整流網は、湯又は水が最初に通過する第１網部と、この第１網部を通過した湯又は水が通過する、第１網部から間隔を空けて配置された第２網部と、を有する。
このように構成された本発明の吐水装置によれば、湯又は水は、整流網を２回通過して吐水されるので、整流効果をより高めることができる。
【００１５】
本発明において、好ましくは、第１網部及び第２網部は、断面が閉曲線を描くように屈曲された１枚の整流網によって構成され、１枚の整流網のうち、湯又は水が閉曲線の内部に流入する際に通過する部分が第１網部として機能し、湯又は水が閉曲線の内部から外部に流出する際に通過する部分が第２網部として機能する。
このように構成された本発明の吐水装置によれば、湯又は水は、１枚の整流網を２回通過するので、簡単な構造で整流効果を高めることができる。
【００１６】
本発明において、好ましくは、絞り手段は吐水部と一体に形成され、この吐水部は、これに取り付けられた整流網と共に着脱可能に構成されている。
このように構成された本発明の吐水装置によれば、吐水部を隔壁部、整流網と共に取り外すことができるので、整流網の清掃、メンテナンスを容易に行うことができる。
【００１７】
本発明において、好ましくは、通水路には、流入口よりも流路断面積が大きい水溜部が形成されている。
このように構成された本発明の吐水装置によれば、流入口から流入した湯又は水は、流路断面積が大きい水溜部で流速が低下されるので、流入時の流れの乱れが抑制され、均一な吐水を得ることができる。
【発明の効果】
【００１８】
本発明の吐水装置によれば、流量の十分に広い領域に亘って幅の広い薄膜状の吐水を維持することができる。
【発明を実施するための最良の形態】
【００１９】
次に、図面を参照して、本発明の実施形態を説明する。
まず、図１乃至図６を参照して、本発明の第１実施形態による吐水装置を説明する。図１は本発明の第１実施形態による吐水装置の斜視図であり、図２は側面断面図である。また、図３は、図２のIII−IIIに沿って切断された正面断面図である。さらに、図４は、本実施形態の吐水装置に取り付けられている吐水部の斜視図であり、図５はその底面図である。また、図６は、本実施形態の吐水装置の分解斜視図である。
【００２０】
図１乃至図３に示すように、本発明の第１実施形態による吐水装置１は、内部に通水路２ａが形成された吐水装置本体２と、この吐水装置本体２に取り付けられ、吐水口６が形成された吐水部４と、を有する。
【００２１】
吐水装置本体２は、鉛直の壁面Ｗに当接されるベース部２ｂと、このベース部２ｂから水平方向に延びる水平部２ｃとを有し、この水平部２ｃの内部には水平方向に延びる通水路２ａが形成されている。また、水平部２ｃの基端部には、接続金具８を受け入れるための概ね円筒形の接続金具受け入れ部２ｄが形成されており、この接続金具受け入れ部２ｄの最奥部が吐水装置本体２の流入口２ｅに連通している。また、吐水装置本体２の内部には、流入口２ｅに続いて、流入口２ｅよりも流路断面積が大きく形成された水溜部２ｆが形成されている。
【００２２】
一方、吐水装置本体２は、接続金具８を接続金具受け入れ部２ｄに受け入れた状態で、止めねじ１０を締め付けることによって、接続金具８に固定される。さらに、接続金具８と接続金具受け入れ部２ｄとの間には２本のＯリング８ａが配置され、それらの間の水密性が確保されている。
【００２３】
また、水平部２ｃの先端部には、通水路２ａと連通した概ね長方形の開口部２ｇが形成されている。この開口部２ｇは、吐水部４を受け入れ、吐水部４が４本のビス１２で取り付けられるように構成されている。
【００２４】
吐水部４は、図４及び図５に示すように、吐水装置本体２の開口部２ｇの中に水平方向に向けて取り付けられる長方形のプレート部４ａと、このプレート部４ａに対して直角に立ち上がるように形成された、細長い長方形断面の筒状部４ｂと、を有する。プレート部４ａには４つの穴４ｃが形成され、これらの穴４ｃに夫々ビス１２を通して吐水装置本体２に螺合させることにより、吐水部４が吐水装置本体２に取り付けられる。
【００２５】
また、筒状部４ｂの下端には底面が形成されており、この底面に細長いスリット状の吐水口６が形成されている。図５に示すように、吐水口６は、吐水装置本体２の幅方向に延びる、一定の幅の直線部６ａと、この直線部６ａの両端に、直線部６ａと連続して形成されたほぼ円形の拡大部６ｂと、を有する。本実施形態においては、直線部６ａの長さは約１００ｍｍ、幅は約２ｍｍであり、拡大部６ｂは、直径約４ｍｍの円形に構成されている。
【００２６】
一方、図３及び図４に示すように、筒状部４ｂの流入口２ｅ側の壁面は、絞り手段として機能する隔壁部１４を構成している。この隔壁部１４は、吐水口６の直線部６ａと平行に形成されており、その中央には下方がすぼまった等脚台形状の切欠部１４ａが形成されている。通水路２ａを流れてきた湯水は、隔壁部１４の切欠部１４ａに流入するように、中央に集められる。本実施形態においては、隔壁部１４の幅は約１０４ｍｍ、切欠部１４ａの底辺の長さは約３０ｍｍ、上辺の長さは約４５ｍｍ、高さは約６．５ｍｍである。また、隔壁部１４の上端と、通水路２ａの天井面との間には僅かな隙間が空いている。従って、本実施形態においては、切欠部１４ａの長さは、吐水口６の長さの約１／３である。好ましくは、切欠部の長さは、吐水口の長さの約２５〜約５０％、更に好ましくは約３０〜約４５％とする。
【００２７】
さらに、図２及び図６に示すように、筒状部４ｂの中には、吐水口６及び切欠部１４ａを覆うように、整流手段である整流網１６が配置されている。整流網１６は、その断面が閉曲線を描くように屈曲されて筒状部４ｂの中に嵌め込まれている。即ち、整流網１６は、下端が丸くなった縦長の長方形断面を形成するように屈曲された状態で筒状部４ｂの中に配置されている。通水路２ａを流れてきた湯水は、まず、整流網１６の切欠部１４ａを覆っている部分、又は長方形断面を形成する整流網１６の上辺の部分を通って整流網１６の内部に流入する。次いで、湯水は、吐水口６を覆っている整流網１６の下端部を通って、吐水口６から吐水される。このため、湯水は、１枚の整流網１６を２回通過して吐水口６から吐水されることになる。即ち、整流網１６の、湯水が最初に通過する部分は第１網部として作用し、湯水が２回目に通過する部分は第２網部として作用する。
【００２８】
また、整流網１６は、所定の形状に屈曲させた状態で筒状部４ｂの中に嵌め込むことにより、吐水部４に取り付けられる。この構成により、吐水部４を取り外すと、これに一体に形成された隔壁部１４及び整流網１６を共に取り外すことができる。これにより、整流網１６の清掃、メンテナンスを容易に行うことができる。
【００２９】
次に、本発明の第１実施形態による吐水装置１の作用を説明する。
接続金具８は、壁面Ｗに設けられた給水管（図示せず）に螺合接続され、吐水装置本体２は、止めねじ１０により接続金具８に結合されて、壁面Ｗに固定される。給水管から供給された湯水は、接続金具８、流入口２ｅを介して水溜部２ｆに流入する。水溜部２ｆの流路断面積は、流入口２ｅの流路断面積よりも十分に大きく構成されているため、流入口２ｅから流入した湯水の流速は、水溜部２ｆ内で一旦低下する。これにより、流入口２ｅから流入した湯水の流れの乱れが低減される。
【００３０】
水溜部２ｆに流入した湯水は、通水路２ａを通って隔壁部１４に到達する。隔壁部１４に到達した湯水は、隔壁部１４の中央に形成された切欠部１４ａに向かって集められ、主に切欠部１４ａを通って筒状部４ｂ内に流入する。この際、湯水の多くは、整流網１６の切欠部１４ａを覆っている部分を通過する。また、湯水の一部は、隔壁部１４の上端と通水路２ａの天井面の間を通り、整流網１６の上端面を通過して筒状部４ｂ内に流入する。筒状部４ｂ内に流入した湯水は、再び整流網１６の下端部を通過して、吐水口６から下方に向けて吐出される。このように、湯水は、整流網１６の第１網部と、この第１網部から間隔を空けた第２網部を通ることによって十分に整流され、吐水口６から吐出される。
【００３１】
通水路２ａ内を隔壁部１４に向かって流れてきた湯水は、隔壁部１４によって吐水装置本体２の幅方向に一旦絞られた後、切欠部１４ａの側縁を回り込むように流れる。このため、切欠部１４ａを通過した湯水の一部は、吐水装置本体２の幅方向外方に向かう速度成分をもつようになる。さらに、切欠部１４ａは、下方がすぼまった台形状に形成されているため、切欠部１４ａを通過した湯水の一部は、図３に矢印Ｖで示す、斜め下方、外方に向かう速度成分を得る。これにより、湯水の流量が少ない場合における湯水の流れ幅のすぼまりが抑制される。
【００３２】
また、吐水口６の両端部には、幅が広くなった拡大部６ｂが形成されているので、この部分の流路抵抗は直線部６ａの流路抵抗よりも小さく、吐水の両端部の水勢が強くなる。このため、吐水口６から吐出された湯水の流れは、水勢の強い両端部に引っ張られ、湯水の流量が少ない場合における湯水の流れ幅のすぼまりが抑制される。また、吐水口６の両端部の流路抵抗は、中間部の流路抵抗よりも小さいため、筒状部４ｂ内に流入した湯水には、中央から両端に向かう速度成分が生成される。この外側に向かう速度成分によっても、流れ幅のすぼまりが抑制される。
【００３３】
本実施形態の吐水装置１では、１５Ｌ／ｍｉｎの少流量においても、吐水口６の下方約５００ｍｍ以上に亘って幅広の流れが維持された。また、１５Ｌ／ｍｉｎ以上の流量においては、さらに長い距離に亘って幅広の流れを維持することができた。さらに、４０Ｌ／ｍｉｎの大流量においても、吐水が大きく広がることなく、滝状の美しい流れが維持された。
【００３４】
本発明の第１実施形態の吐水装置によれば、吐水口が直線部と、その両端部の拡大部から構成されているので、幅の広い吐水の両端部の水勢が強くなり、吐水のすぼまりが抑制され、流量の十分に広い領域に亘って幅の広い薄膜状の吐水を維持することができる。
【００３５】
また、本実施形態の吐水装置によれば、中央に切欠部を備えた隔壁部が設けられているので、切欠部を通過した湯水は、吐水口の長手方向に広がる方向の速度成分を持ち、吐水のすぼまりをさらに抑制することができる。
【００３６】
さらに、本実施形態の吐水装置によれば、吐水口の近傍に整流網が配置されているので、吐水口から流出する湯水が整流され、細長い吐水口から均一な吐水を得ることができると共に、大流量時における流れの乱れが抑制され、大流量時における吐水の広がりを抑えることができる。
【００３７】
また、本実施形態の吐水装置によれば、整流網が、その断面が閉曲線を描くように屈曲されて配置されているので、湯水は１枚の整流網を２回通過し、簡単な構造で整流効果を高めることができる。
【００３８】
さらに、本実施形態の吐水装置によれば、吐水部を隔壁部、整流網と共に取り外すことができるので、整流網の清掃、メンテナンスを容易に行うことができる。
【００３９】
また、本実施形態の吐水装置によれば、通水路に水溜部が形成されているので、流入口から流入した湯水の流速が低下され、流入時の流れの乱れが抑制されて均一な吐水を得ることができる。
【００４０】
さらに、上述した本発明の第１実施形態の吐水装置１においては、隔壁部１４の上端と、通水路２ａの天井面の間には隙間が空いていたが、隔壁部１４の上端と通水路２ａの天井面は当接していても良く、或いは、それらの間が水密的に構成されていても良い。
【００４１】
また、上述した実施形態においては、切欠部１４ａの底辺と、吐水部４のプレート部４ａ及び通水路２ａの底面はほぼ面一であったが、切欠部１４ａの底辺は、さらに高い位置に形成されていても良い。
【００４２】
さらに、上述した実施形態においては、整流手段として整流網が使用されていたが、スポンジ、コイル等を整流手段として使用することもできる。
また、上述した実施形態においては、吐水装置本体と吐水部は別体で構成されていたが、吐水装置本体と吐水部を一体に形成しても良い。
【００４３】
次に、図７乃至図１１を参照して、本発明の第２実施形態による吐水装置を説明する。
図７は、本発明の第２実施形態による吐水装置の斜視図であり、図８は、その上面図である。また、図９は、図８のIX−IX線に沿って切断された断面図であり、図１０は、図８のX−X線に沿って切断された断面図であり、図１１は、図８のXI−XI線に沿って切断された断面図である。
【００４４】
図７に示すように、本発明の第２実施形態による吐水装置１０１は、湯及び水を混合して適温に調整し、温度調整された湯を、シャワーヘッド（図示せず）又は吐水口１０２から吐出させるものである。また、本実施形態による吐水装置１０１は、湯温調整用ハンドル１０６と、吐水切替用ハンドル１０８と、を有する。給水用の配管１１２から供給された水、及び給湯用の配管１１４から供給された湯は、湯温調整用ハンドル１０６による設定に従って適宜混合され、吐水切替用ハンドル１０８の操作に従って、シャワーヘッド（図示せず）又は吐水口１０２から吐出される。
【００４５】
図７乃至図１１に示すように、吐水装置１０１は、壁面から突出した給水用の配管１１２及び給湯用の配管１１４に流入口が接続された吐水装置本体１０４を有する。また、通水部である吐水装置本体１０４には、湯水混合ユニット１２４、シリンダ弁ユニット１２６（図９）、整流網１１６、及び逆止弁１３０（図１０）が内蔵されている。図１０に示すように、給水用の配管１１２からストレーナー付きの止水栓１２８を通じて吐水装置本体１０４に流入した水は、逆止弁１３０を通って、通水路１０４ｂ（図９）に流入する。同様に、給湯用の配管１１４からストレーナー付きの止水栓１２８を通じて吐水装置本体１０４に流入した湯は、逆止弁１３０を通って、通水路１０４ａ（図９）に流入する。
【００４６】
吐水装置本体１０４内の通水路１０４ａに流入した湯及び通水路１０４ｂに流入した水は、湯水混合ユニット１２４によって適温に混合され、通水路１０４ｃ（図９）に流入するように構成されている。さらに、通水路１０４ｃに流入した湯水は、シリンダ弁ユニット１２６に流入し、シリンダ弁ユニット１２６の切替に従って、通水路１０４ｄ又は通水路１０４ｅ（図９）に流入するように構成されている。
【００４７】
通水路１０４ｅに流入した湯水は、通水路１０４ｆを通って吐水口１０２から吐出されるように構成されている。また、通水路１０４ｄに流入した湯水は、通水路１０４ｇ、１０４ｈ（図１１）を通ってシャワーヘッド（図示せず）から吐出されるように構成されている。
【００４８】
吐水口１０２は、吐水装置本体１０４の吐水部である前部下面に開口しており、下方に向けて幅広の薄膜状に吐水を行うように構成されている。また、図８に示すように、吐水口１０２は、一定幅の直線状の直線部１０２ａと、その両端の幅が広くなった円形の拡大部１０２ｂから構成されている。さらに、吐水口１０２の上方には、吐水口１０２を取り囲むように溝部１０２ｃが形成されている。この溝部１０２ｃの中には、整流手段である整流網１１６が、その断面が閉曲線を描くように屈曲されて配置されている。即ち、整流網１１６は、下部が丸くなった縦長の長方形断面を有するように屈曲されて溝部１０２ｃに嵌め込まれている。湯水は、第１網部である整流網１１６の溝部１０２ｃから突出している部分を通過して長方形断面の内部に流入し、第２網部である長方形断面の下部を通って長方形断面の外部に流出する。
【００４９】
図９に示すように、湯水混合ユニット１２４は、湯水混合ユニット本体１２４ａと、この湯水混合ユニット本体１２４ａ内に摺動可能に配置された主弁体１２４ｂと、この主弁体１２４ｂを付勢するコイルばね１２４ｃと、主弁体１２４ｂをコイルばね１２４ｃとは反対の方向に付勢する形状記憶合金ばね１２４ｄと、を有する。また、湯水混合ユニット１２４は、湯温調整用ハンドル１０６に連動して湯水混合ユニット本体１２４ａ内で摺動されるように配置された摺動部材１２４ｅを有する。
【００５０】
主弁体１２４ｂは、概ね円筒状の形状であり、湯水混合ユニット本体１２４ａ内に摺動可能に配置されている。主弁体１２４ｂが湯水混合ユニット本体１２４ａ内で摺動されることにより、水及び湯の流入量が変化し、湯水混合ユニット本体１２４ａ内で混合される水と湯の割合が変化するように構成されている。また、図９において、主弁体１２４ｂの左側にはコイルばね１２４ｃが配置されており、これにより主弁体１２４ｂは右方向に付勢されている。また、主弁体１２４ｂの右側には形状記憶合金ばね１２４ｄが配置されており、これにより主弁体１２４ｂは左方向に付勢されている。
【００５１】
湯温調整用ハンドル１０６には送りねじが連結されており、湯温調整用ハンドル１０６を回転させると、送りねじにより摺動部材１２４ｅを湯水混合ユニット本体１２４ａ内で摺動させることができる。また、摺動部材１２４ｅの端部はコイルばね１２４ｃの先端に当接されており、摺動部材１２４ｅを摺動させることにより、コイルばね１２４ｃによる付勢力を変化させ、湯水混合ユニット１２４の設定温度を変更することができるように構成されている。
【００５２】
シリンダ弁ユニット１２６は、概ね円筒状のシリンダ弁本体１２６ａと、このシリンダ弁ユニット本体１２６ａ内で回動可能に配置されたシリンダ１２６ｂと、を有する。シリンダ弁ユニット本体１２６ａには、通水路１０４ｄ、１０４ｅと整合する位置に夫々通水口１２６ｃ、１２６ｄ（通水路１０４ｅに整合する通水口１２６ｄのみ図示）が形成されている。
【００５３】
また、シリンダ１２６ｂは、薄い金属製の円筒であり、シリンダ弁ユニット本体１２６ａ内に回動可能に配置されている。また、シリンダ１２６ｂの側面には、通水口１２６ｃと整合する位置、及び通水口１２６ｄと整合する位置に夫々通水口１２６ｅ、１２６ｆ（通水口１２６ｃに整合する通水口１２６ｅのみ図示）が形成されている。シリンダ１２６ｂがシリンダ弁ユニット本体１２６ａ内で回動され、通水口１２６ｅと通水口１２６ｃが整合すると、通水路１０４ｃからシリンダ弁ユニット１２４に流入した湯水は、通水口１２６ｅ、通水口１２６ｃを通って通水路１０４ｄに流出し、シャワーヘッド（図示せず）から吐出される。また、通水口１２６ｆと通水口１２６ｄが整合すると、湯水は、通水口１２６ｆ、通水口１２６ｄを通って通水路１０４ｅに流出し、吐水口１０２から吐出される。さらに、通水口１２６ｅ、１２６ｆが、通水口１２６ｃ、１２６ｄの何れとも整合しない位置では、止水状態となる。
【００５４】
吐水切替用ハンドル１０８は、シリンダ１２６ｂに連結されており、吐水切替用ハンドル１０８を回動させることにより、水路を切り替え、シャワー吐水、吐水口１０２からの吐水、止水状態を切り替えることができるように構成されている。
【００５５】
次に、本発明の第２実施形態による吐水装置１０１の作用を説明する。
まず、給水用の配管１１２及び給湯用の配管１１４から吐水装置１０１に供給された水及び湯は、吐水装置本体１０４の通水路１０４ａ、１０４ｂに夫々流入する。通水路１０４ａ、１０４ｂに流入した水及び湯は、湯水混合ユニット本体１２４ａ内に流入する。湯水混合ユニット本体１２４ａ内に流入した水及び湯は混合され、形状記憶合金ばね１２４ｄの内側を通って通水路１０４ｃに流出する。この際、内側を通過する湯水の温度により形状記憶合金ばね１２４ｄが発生する付勢力が変化する。通過する湯水の温度が設定温度よりも高い場合には、形状記憶合金ばね１２４ｄが発生する付勢力が増大して、主弁体１２４ｂを図９における左方向に移動させる。これにより、湯を流入させる入口の開度が減少し、水を流入させる入口の開度が大きくなるので、混合された湯水の温度が低下する。湯水の温度が設定温度よりも低い場合には、形状記憶合金ばね１２４ｄの付勢力が減少し、主弁体１２４ｂが右方向に移動される。これにより、混合された湯水の温度が上昇する。このような主弁体１２４ｂの作用により、通水路１０４ｃに流出する湯水の温度が設定温度に調整される。
【００５６】
通水路１０４ｃに流出した湯水は、シリンダ弁ユニット１２６に到達する。シリンダ弁ユニット１２６に到達した湯水は、シリンダ１２６ｂに流入する。シリンダ１２６ｂに形成された通水口１２６ｅとシリンダ弁本体１２６ａに形成された通水口１２６ｃ（図示せず）が整合する位置にシリンダ１２６ｂが回動されている場合には、シリンダ１２６ｂ内の湯水は通水口１２６ｅ、通水口１２６ｃを通って通水路１０４ｄに流出する。通水路１０４ｄに流出した湯水は、通水路１０４ｇ、１０４ｈを通ってシャワーヘッド（図示せず）から吐出される。また、通水口１２６ｅ及び１２６ｆが、通水口１２６ｃ及び１２６ｄと夫々整合しない位置にシリンダ１２６ｂが回動されている場合には、止水状態となる。
【００５７】
一方、通水口１２６ｆ（図示せず）と通水口１２６ｄが整合する位置にシリンダ１２６ｂが回動されている場合には、湯水は通水路１０４ｅに流出する。通水路１０４ｅに流出した湯水は、通水路１０４ｆを上昇した後、水平方向に延びる通水路１０４ｉに流入する。この通水路１０４ｉは薄く構成されているため、通水路１０４ｆから流入した湯水は、薄く広がりながら溝部１０２ｃに到達する。また、通水路１０４ｆの流路断面積は、通水路１０４ｉの流路断面積よりも大きいので、通水路１０４ｆは水溜部として作用し、湯水は、通水路１０４ｆ内で流速が低下されながら、整流される。溝部１０２ｃに到達した湯水は、まず、整流網１１６上部の溝部１０２ｃから突出している部分を通って、屈曲された整流網１１６の内部に流入する。整流網１１６の内部に流入した湯水は、次いで、整流網１１６の下部を通り、溝部１０２ｃの底部に開口している吐水口１０２から吐出される。
【００５８】
このように、湯水は、整流網１１６を２回通過するため、湯水の流れは十分に整流され、均一化される。このため、通水路１０４ｆが吐水口１０２に対して偏った位置に開口していても、吐水口１０２からの吐水は、均一な薄膜状になる。また、吐水口１０２の両端部には拡大部１０２ｂが形成されているため、薄膜状の吐水の端部における水勢が強くなり、吐水流量が少ない場合における吐水のすぼまりが抑制される。
【００５９】
以上、本発明好ましい実施形態を説明したが、上述した実施形態に種々の変更を加えることができる。
【図面の簡単な説明】
【００６０】
【図１】本発明の第１実施形態による吐水装置の斜視図である。
【図２】本発明の第１実施形態による吐水装置の側面断面図である。
【図３】図２のIII−IIIに沿って切断された正面断面図である。
【図４】吐水装置に取り付けられている吐水部の斜視図である。
【図５】吐水装置に取り付けられている吐水部の底面図である。
【図６】本発明の第１実施形態による吐水装置の分解斜視図である。
【図７】本発明の第２実施形態による吐水装置の斜視図である。
【図８】本発明の第２実施形態による吐水装置の上面図である。
【図９】図８のIX−IX線に沿って切断された断面図である。
【図１０】図８のX−X線に沿って切断された断面図である。
【図１１】図８のXI−XI線に沿って切断された断面図である。
【図１２】従来の吐水装置の吐水の状態を示す図である。
【符号の説明】
【００６１】
１        本発明の第１実施形態による吐水装置
２        吐水装置本体
２ａ      通水路
２ｂ      ベース部
２ｃ      水平部
２ｄ      接続金具受け入れ部
２ｅ      流入口
２ｆ      水溜部
２ｇ      開口部
４        吐水部
４ａ      プレート部
４ｂ      筒状部
４ｃ      穴
６        吐水口
６ａ      直線部
６ｂ      拡大部
８        接続金具
８ａ      Ｏリング
１０      止めねじ
１２      ビス
１４      隔壁部
１４ａ    切欠部
１６      整流網
１０１    本発明の第２実施形態による吐水装置
１０２    吐水口
１０２ａ  直線部
１０２ｂ  拡大部
１０２ｃ  溝部
１０４    吐水装置本体
１０４ａ〜１０４ｉ  通水路
１０６    湯温調整用ハンドル
１０８    吐水切替用ハンドル
１１２    給水用の配管
１１４    給湯用の配管
１１６    整流網
１２４    湯水混合ユニット
１２４ａ  湯水混合ユニット本体
１２４ｂ  主弁体
１２４ｃ  コイルばね
１２４ｄ  形状記憶合金ばね
１２４ｅ  摺動部材
１２６    シリンダ弁ユニット
１２６ａ  シリンダ弁本体
１２６ｂ  シリンダ
１２６ｃ〜１２６ｆ  通水口
１２８    止水栓
１３０    逆止弁
【図１】
2007262738.tif 000003
【図２】
2007262738.tif 000004
【図３】
2007262738.tif 000005
【図４】
2007262738.tif 000006
【図５】
2007262738.tif 000007
【図６】
2007262738.tif 000008
【図７】
2007262738.tif 000009
【図８】
2007262738.tif 000010
【図９】
2007262738.tif 000011
【図１０】
2007262738.tif 000012
【図１１】
2007262738.tif 000013
【図１２】
2007262738.tif 000014